(57)【要約】【課題】イヤホンケーブルの長さによらず従来技術に比較して良好な受信感度で受信できるイヤホンケーブルアンテナ装置を提供する。【解決手段】長さＬを有するイヤホンケーブル２は、インピーダンス整合回路１３及び可変インピーダンス整合回路１４を介してチューナ１５に接続される。可変インピーダンス整合回路１４は、バラクタダイオード６３を備える。コントローラ１０は、イヤホンケーブル２の長さＬに基づいて、可変インピーダンス整合回路１４の出力端子Ｔ４から見たイヤホンケーブル２のインピーダンスＺｐをチューナ１５の入力インピーダンスＺｉｎに整合させるように、バラクタダイオード６３に印加する逆バイアス電圧を制御する。【選択図】図１
2008092265.tif 000002
【特許請求の範囲】
【請求項１】
無線信号を受信し、上記無線信号を復調信号に復調する復調手段を備えた無線端末装置に搭載されるイヤホンケーブルアンテナ装置であって、
所定の長さを有し上記復調手段に接続されるイヤホンケーブルと、
上記イヤホンケーブルと上記復調手段との間に接続された可変インピーダンス整合手段と、
上記所定の長さに基づいて、上記イヤホンケーブルのインピーダンスを上記復調手段の入力インピーダンスに整合させるように、上記可変インピーダンス整合手段のインピーダンスを制御する制御手段とを備えたことを特徴とするイヤホンケーブルアンテナ装置。
【請求項２】
上記所定の長さを入力し、上記入力した長さの情報を上記制御手段に出力する入力手段をさらに備えたことを特徴とする請求項１記載のイヤホンケーブルアンテナ装置。
【請求項３】
上記所定の長さを検出し、上記検出した長さの情報を上記制御手段に出力する検出手段をさらに備えたことを特徴とする請求項１記載のイヤホンケーブルアンテナ装置。
【請求項４】
上記無線信号はディジタル放送信号であることを特徴とする請求項１乃至３のいずれか１つに記載のイヤホンケーブルアンテナ装置。
【請求項５】
請求項１乃至４のいずれか１つに記載のイヤホンケーブルアンテナ装置と、
上記無線信号を復調信号に復調する復調手段とを備えたことを特徴とする無線端末装置。
【発明の詳細な説明】
【技術分野】
【０００１】
本発明は、イヤホンケーブルをアンテナ素子として利用するイヤホンケーブルアンテナ装置及び上記イヤホンケーブルアンテナ装置を用いた無線端末装置に関する。
【背景技術】
【０００２】
従来、携帯型の無線端末装置を小型化するために、様々な小型のアンテナ装置が提案されている（例えば、特許文献１参照。）。例えば、巻き取り型イヤホンケーブルを利用した従来技術に係るポータブルラジオにおいては、所定の長さを有するイヤホンケーブルがラジオ本体に直接接続されており、当該イヤホンケーブルをアンテナ素子として利用する場合は、受信する無線信号の波長とイヤホンケーブルの長さとに基づいてアンテナ素子のインピーダンスと無線受信回路のインピーダンスとを整合する整合回路を設けることにより、受信する無線信号の周波数においてアンテナの受信感度を良好にできる。
【０００３】
【特許文献１】特開平９−１６２６３０号公報。
【発明の開示】
【発明が解決しようとする課題】
【０００４】
しかしながら、従来技術に係るポータブルラジオでは、イヤホンケーブルがラジオ本体に直接接続されているため、ユーザが任意のイヤホンケーブルを利用することができなかった。また、任意の長さを有するイヤホンケーブルを接続して利用できるポータブルラジオにおいて、そのイヤホンケーブルをアンテナ素子として利用すると、イヤホンケーブルを取り替える毎に受信する無線信号の波長とイヤホンケーブルの長さとの関係が変化し、その結果アンテナ装置の放射特性が変化して受信感度が低下し、最悪の場合は無線信号を受信できなくなった。
【０００５】
本発明の目的は以上の問題点を解決し、イヤホンケーブルをアンテナ素子として利用するイヤホンケーブルアンテナ装置において、イヤホンケーブルの長さに関わらず従来技術に比較して良好な受信感度で受信できるイヤホンケーブルアンテナ装置及びそれを用いた無線端末装置を提供することにある。
【課題を解決するための手段】
【０００６】
第１の発明に係るイヤホンケーブルアンテナ装置は、無線信号を受信し、上記無線信号を復調信号に復調する復調手段を備えた無線端末装置に搭載されるイヤホンケーブルアンテナ装置であって、
所定の長さを有し上記復調手段に接続されるイヤホンケーブルと、
上記イヤホンケーブルと上記復調手段との間に接続された可変インピーダンス整合手段と、
上記所定の長さに基づいて、上記イヤホンケーブルのインピーダンスを上記復調手段の入力インピーダンスに整合させるように、上記可変インピーダンス整合手段のインピーダンスを制御する制御手段とを備えたことを特徴とする。
【０００７】
上記のイヤホンケーブルアンテナ装置において、
上記所定の長さを入力し、上記入力した長さの情報を上記制御手段に出力する入力手段をさらに備えたことを特徴とする。
【０００８】
また、上記のイヤホンケーブルアンテナ装置において、
上記所定の長さを検出し、上記検出した長さの情報を上記制御手段に出力する検出手段をさらに備えたことを特徴とする。
【０００９】
さらに、上記のイヤホンケーブルアンテナ装置において、
上記無線信号はディジタル放送信号であることを特徴とする。
【００１０】
第２の発明に係る無線端末装置は、上記のイヤホンケーブルアンテナ装置と、上記無線信号を復調信号に復調する復調手段とを備えたことを特徴とする。
【発明の効果】
【００１１】
本発明に係るイヤホンケーブルアンテナ装置によれば、無線信号を受信し、上記無線信号を復調信号に復調する復調手段を備えた無線端末装置に搭載されるイヤホンケーブルアンテナ装置であって、所定の長さを有し上記復調手段に接続されるイヤホンケーブルと、上記イヤホンケーブルと上記復調手段との間に接続された可変インピーダンス整合手段と、上記所定の長さに基づいて、上記イヤホンケーブルのインピーダンスを上記復調手段の入力インピーダンスに整合させるように、上記可変インピーダンス整合手段のインピーダンスを制御する制御手段とを備えたので、イヤホンケーブルの長さに関わらず従来技術に比較して良好な受信感度で受信できる。
【００１２】
また、本発明に係る無線端末装置によれば、上記のイヤホンケーブルアンテナ装置と、上記無線信号を復調信号に復調する復調手段とを備えたので、イヤホンケーブルの長さに関わらず従来技術に比較して良好な受信感度で受信できる。
【発明を実施するための最良の形態】
【００１３】
以下、本発明に係る実施形態について図面を参照して説明する。なお、以下の各実施形態において、同様の構成要素については同一の符号を付している。
【００１４】
図１は、本発明の実施形態に係る地上ディジタル音声放送受信機１００の構成を示すブロック図である。図１において、地上ディジタル音声放送受信機１００はＶＨＦの第７チャンネル帯の地上ディジタル音声放送信号を受信するための受信機であって、コントローラ１０と、テーブルメモリ１１と、キーボード１２と、インピーダンス整合回路１３と、可変インピーダンス整合回路１４と、チューナ１５と、ディジタル復調器１６と、イヤホンアンプ１７と、高周波阻止用インダクタ３１乃至３３と、低周波阻止用コンデンサ４１乃至４３と、例えばステレオミニタイプの汎用イヤホンジャック４とを備えて構成される。なお、ＶＨＦの第７チャンネル帯の地上ディジタル音声放送信号の周波数は約１８９ＭＨｚであり、波長は約１５８ｃｍである。
【００１５】
図１において、詳細後述するように、チューナ１５で受信された地上ディジタル音声放送信号は中間周波信号に周波数変換され、中間周波信号はディジタル復調に１６においてベースバンド信号に復調された後、ステレオ音声信号に変換されてイヤホンアンプに出力される。イヤホンアンプ１７は、入力されるステレオ音声信号を増幅して、イヤホンジャック４、イヤホンプラグ３、及び５０Ωの特性インピーダンスと長さＬとを有するイヤホンケーブル２を介してイヤホン１に出力する。
【００１６】
ここで、地上ディジタル音声放送受信機１００は、地上ディジタル音声放送を復調信号に復調するチューナ１５及びディジタル復調器１６と、長さＬを有しチューナ１５に接続されるイヤホンケーブル２と、イヤホンケーブル２とチューナ１５との間に接続されたインピーダンス整合回路１３及び可変インピーダンス整合回路１４と、イヤホンケーブル２の長さＬに基づいて、イヤホンケーブル２のインピーダンスをチューナ１５の入力インピーダンスに整合させるように、可変インピーダンス整合回路１３のインピーダンスを制御するコントローラ１０とを備えたことを特徴とする。なお、イヤホンケーブル２と、インピーダンス整合回路１３と、可変インピーダンス整合回路１４と、コントローラ１０とは、イヤホンケーブルアンテナ装置を構成する。
【００１７】
図１において、イヤホンプラグ３をイヤホンジャック４に挿入したとき、イヤホンプラグ３の接点３ａ，３ｂ及び３ｃはそれぞれ、イヤホンジャック４の接点４ａ，４ｂ及び４ｃに接触して電気的に接続され、イヤホン１は、イヤホンケーブル２及びイヤホンプラグ３を介してイヤホンジャック４に電気的に接続される。ここで、イヤホンケーブル２は１対のステレオ音声信号線及びアース線を含む。イヤホンケーブル２の一方のステレオ音声信号線は、イヤホンプラグ３の接点３ａを介してイヤホンジャック４の接点４ａに接続される。さらに、イヤホンジャックの接点４ａは、高周波阻止用インダクタ３１を介してイヤホンアンプ１７に接続されるとともに、低周波阻止用コンデンサ４１、インピーダンス整合回路１３及び可変インピーダンス整合回路１４を介してチューナ１５に接続される。また、イヤホンケーブル２の他方のステレオ音声信号線は、イヤホンプラグ３の接点３ｂを介してイヤホンジャック４の接点４ｂに接続される。さらに、イヤホンジャック４の接点４ｂは、高周波阻止用インダクタ３２を介してイヤホンアンプ１７に接続されるとともに、低周波阻止用コンデンサ４２、インピーダンス整合回路１３及び可変インピーダンス整合回路１４を介してチューナ１５に接続される。さらに、イヤホンケーブル２のアース線は、イヤホンプラグ３の接点３ｃを介してイヤホンジャック４の接点４ｃに接続される。さらに、イヤホンジャック４の接点４ｃは、高周波阻止用インダクタ３ｃを介して接地されるとともに、低周波阻止用コンデンサ４３、インピーダンス整合回路１３及び可変インピーダンス整合回路１４を介してチューナ１５に接続される。
【００１８】
ここで、高周波阻止用インダクタ３１乃至３３は、２０ｋＨｚ以下の音声帯域の信号を通過させ、かつ２０ｋＨｚより高い周波数帯域の信号を遮断するために用いられ、それぞれのインダクタンス値は３９０ｎＨである。なお、好ましくは、ステレオ音声信号の損失低下をできるだけ小さくするために、高周波阻止用インダクタ３１乃至３３の各直流抵抗をできるだけ小さい値に設定する。また、低周波阻止用コンデンサ４１乃至４３は、５０ＭＨｚ以上の高周波帯域の信号を通過させ、かつ５０ＭＨｚ未満の周波数帯域の信号を遮断するために用いられ、それぞれの容量値は１０００ｐＦである。この構成により、イヤホンアンプ１７からのステレオ音声信号は、高周波阻止用インダクタ３１及び３２、イヤホンジャック４、イヤホンプラグ３及びイヤホンケーブル２を介してイヤホン１に出力される一方、イヤホンケーブル２で受信した地上ディジタル音声放送信号は、イヤホンプラグ３、イヤホンジャック４、低周波阻止用コンデンサ４１乃至４３、インピーダンス整合回路１３及び可変インピーダンス整合回路１４を介してチューナ１５に出力される。すなわち、イヤホンケーブル２は、ステレオ音声信号を伝送するとともに、地上ディジタル音声放送信号を受信する線状アンテナ素子として機能する。
【００１９】
チューナ１５は、入力される地上ディジタル音声放送信号に対して所定の高周波フィルタ処理及び高周波増幅処理を行い、処理後の地上ディジタル音声放送信号を所定の中間周波数の中間周波信号に低域周波数変換した後、中間周波信号に対して中間周波フィルタ処理を行い、フィルタ後の中間周波信号を、ディジタル復調器１６に出力する。ディジタル復調器１６は、入力される中間周波信号を復調信号であるベースバンド信号に復調し、ベースバンド信号をステレオ音声信号に変換してイヤホンアンプ１７に出力する。イヤホンアンプ１７は、入力されるステレオ音声信号を増幅して、高周波阻止用インダクタ３１及び２、イヤホンジャック４、イヤホンプラグ３及びイヤホンケーブル２を介してイヤホン１に出力する。
【００２０】
また、インピーダンス整合回路１３は、インダクタ５１及び５２と、コンデンサ５３とを備えて構成される、ここで、図１に示すように、インダクタ５１の一端は入力端子Ｔ１に接続される一方、インダクタ５１の他端は接地される。また、インダクタ５２の一端は入力端子Ｔ１に接続される一方、インダクタ５２の他端はコンデンサ５３を介して出力端子Ｔ２に接続される。
【００２１】
可変インピーダンス整合回路１４は、地上ディジタル音声放送受信機１００で受信する所定の受信周波数においてイヤホンケーブル２のインピーダンスをチューナ１５の入力インピーダンスに整合させるために設けられ、カップリングコンデンサ６１及び６５と、バラクタダイオード６３と、高周波阻止用インダクタ６２及び６４とを備えて構成される。ここで、図１に示すように、カップリングコンデンサ６１と、バラクタダイオード６３と、カップリングコンデンサ６５とは、入力端子Ｔ３と出力端子Ｔ４との間に直列接続され、バラクタダイオード６３のアノードはインダクタ６２を介して接地され、バラクタダイオード６３のカソードはインダクタ６４を介して電圧印加端子Ｔ５に接続される。詳細後述するように、電圧印加端子Ｔ５に対して印加する直流電圧を変化させることにより、バラクタダイオード６３に印加する逆バイアス電圧を変化させて、バラクタダイオード６３の容量を変化させることができる。この変化制御は、後述するコントローラ１０により実行される。
【００２２】
ユーザは、市販のイヤホンケーブルの長さとして一般的な、１００ｃｍ、１１０ｃｍ、１２０ｃｍ、１３０ｃｍ、１４０ｃｍ及び１５０ｃｍの中から１つの長さをイヤホンケーブル２の長さＬとして選択して、当該選択した長さの情報を、キーボード１２を用いてコントローラ１０に出力する。コントローラ１０に接続された不揮発性メモリであるテーブルメモリ１１には、イヤホンケーブル２の各長さＬ＝１００ｃｍ、１１０ｃｍ、１２０ｃｍ、１３０ｃｍ、１４０ｃｍ及び１５０ｃｍ毎に、出力端子Ｔ４からイヤホンケーブル２を見たインピーダンスＺｐを、チューナ１５の入力インピーダンスＺｉｎ＝５０Ωに整合させるために電圧印加端子Ｔ５に印加する各電圧値が予め格納されており、コントローラ１０は、テーブルメモリ１１を参照して、ユーザが入力したイヤホンケーブル２の長さＬに基づいて、電圧印加端子Ｔ５に印加する電圧を決定して、電圧印加端子Ｔ５に印加する。
【００２３】
上記のように構成された地上ディジタル音声放送受信機１００において、イヤホンケーブル２を、周波数が１８９ＭＨｚであり波長が１５８ｃｍのディジタル音声放送信号を受信する３／４波長アンテナ素子として利用する場合のインピーダンス整合回路１３及び可変インピーダンス整合回路１４の回路構成及び地上ディジタル音声放送受信機１００の動作を説明する。
【００２４】
波長が１５８ｃｍのディジタル音声放送信号を受信する場合、３／４波長アンテナ素子の電気長の理論値は１１８．５ｃｍである。インピーダンス整合回路１３のインダクタ５１及び５２の各インダクタ値及びコンデンサ５３の容量値は、イヤホンケーブル２及びインピーダンス整合回路１３を合わせた電気長が１１８．５ｃｍより長くなり、かつインピーダンス整合回路１３のインピーダンスの抵抗分が５０Ωになるように、決定される。コントローラ１０と、テーブルメモリ１１と、インピーダンス整合回路１３と、可変インピーダンス整合回路１４と、チューナ１５と、ディジタル復調器１６と、イヤホンアンプ１７と、高周波阻止用インダクタ３１乃至３３と、低周波阻止用コンデンサ４１乃至４３とが、４ｃｍ×１０ｃｍの誘電体基板に実装されている場合、インダクタ５１及び５２の各インダクタンス値はそれぞれ１２０ｎＨであり、コンデンサ５３の容量値は３ｐＦである。
【００２５】
可変インピーダンス整合回路１４において、カップリングコンデンサ６１及び６２の各容量値は、直流成分を遮断し、受信する地上ディジタル音声放送信号の周波数における可変インピーダンス整合回路１４のインピーダンスが変化しないように決定される。また、高周波阻止用インダクタ６２及び６４の各インダクタンス値は、直流成分を通過させ高周波の信号を遮断するように決定される。図１において、カップリングコンデンサ６１及び６２の各容量値は１０００ｐＦであり、高周波阻止用インダクタ６２及び６４の各インダクタンス値は３９０ｎＨである。これにより、可変インピーダンス整合回路１４のインピーダンスは、バラクタダイオード６３の容量値、カップリングコンデンサ６１及び６２の各容量値及び受信する地上ディジタル音声放送信号の周波数によって決定される値になる。ここで、バラクタダイオード６３のアノードは高周波阻止用インダクタ６２を介して接地され、コントローラ１０が電圧印加端子Ｔ５に印加した直流電圧は、高周波阻止用インダクタ６４を介してバラクタダイオード６３のカソードに印加されるので、電圧印加端子Ｔ５に正の直流電圧を印加することにより、バラクタダイオード６３に逆バイアス電圧を印加し、バラクタダイオード６３の容量値を変化させることができる。図３は、図１のバラクタダイオード６３に印加される逆バイアス電圧（電圧印加端子Ｔ５に印加される直流電圧である。）に対するバラクタダイオード６３の容量値を示すグラフである。図３から明らかなように、電圧印加端子Ｔ５に印加される電圧を０Ｖから４Ｖの間で変化させることにより、バラクタダイオード６３に印加する逆バイアス電圧を０Ｖから４Ｖの間で変化させると、バラクタダイオード６３の容量値は、１５ｐＦから５ｐＦまで変化する。
【００２６】
テーブルメモリ１１は、イヤホンケーブル２の各長さＬ＝１００ｃｍ、１１０ｃｍ、１２０ｃｍ、１３０ｃｍ、１４０ｃｍ及び１５０ｃｍに対する、インピーダンスＺｐをチューナ１５の入力インピーダンスＺｉｎに整合させるために電圧印加端子Ｔ５に印加する各電圧値のテーブルを予め格納する。上記のように構成された地上ディジタル音声放送受信機１００において、イヤホンケーブルの長さＬが１００ｃｍのときは、電圧印加端子Ｔ５に印加する電圧値は４Ｖであり、イヤホンケーブルの長さＬが１５０ｃｍのときは、電圧印加端子Ｔ５に印加する電圧値は０Ｖである。また、イヤホンケーブルの長さＬが１１０ｃｍ、１２０ｃｍ、１３０ｃｍ又は１４０ｃｍのときは、電圧印加端子Ｔ５に印加する電圧値は０Ｖから４Ｖの間の値である。
【００２７】
図２は、出力端子Ｔ４における反射係数ΓをΓ＝ｐ＋ｑｊとしたときの図１の地上ディジタル音声放送受信機１００のインピーダンス整合を示すスミスチャートである。図２において、点Ｐはインピーダンス整合ポイントであり、チューナ１５の入力インピーダンスＺｉｎ（＝５０Ω）を示す。また、点Ａは、イヤホンケーブルの長さＬが１５０ｃｍであり、可変インピーダンス整合回路１４がないときのインピーダンスＺｐを示し、点Ｂは、イヤホンケーブルの長さＬが１００ｃｍであり、可変インピーダンス整合回路１４がないときのインピーダンスＺｐを示す。なお、イヤホンケーブルの長さＬが１００ｃｍと１５０ｃｍの間の値であり、可変インピーダンス整合回路１４がないときのインピーダンスＺｐは、Ｒ＝１の等抵抗円上の点Ａ及び点Ｂの間にプロットされる。
【００２８】
コントローラ１０は、イヤホンケーブルの長さＬが１００ｃｍのとき、テーブルメモリ１１を参照して電圧印加端子Ｔ５に印加する電圧を４Ｖと決定し、電圧印加端子Ｔ５に４Ｖの直流電圧を印加して、バラクタダイオード６３に４Ｖの逆バイアス電圧を印加してバラクタダイオード６３の容量値を５ｐＦに変化させる。これにより、インピーダンスＺｐは点ＡからＲ＝１の等抵抗円を反時計回りにインピーダンス整合ポイントＰまで移動し、インピーダンスＺｐはチューナ１５の入力インピーダンスＺｉｎに整合する。従って、出力端子Ｔ４における反射係数Γは０になり、長さＬ＝１００ｃｍのイヤホンケーブル２を３／４波長アンテナ素子として利用して、１８９ＭＨｚの地上ディジタル音声放送信号を良好な受信感度で受信できる。また、コントローラ１０は、イヤホンケーブルの長さＬが１５０ｃｍのとき、テーブルメモリ１１を参照して電圧印加端子Ｔ５に印加する電圧を０Ｖと決定し、電圧印加端子Ｔ５に０Ｖの直流電圧を印加して、バラクタダイオード６３に０Ｖの逆バイアス電圧を印加してバラクタダイオード６３の容量値を１５ｐＦに変化させる。これにより、インピーダンスＺｐは点ＢからＲ＝１の等抵抗円を反時計回りにインピーダンス整合ポイントＰまで移動し、インピーダンスＺｐはチューナ１５の入力インピーダンスＺｉｎに整合する。従って、出力端子Ｔ４における反射係数Γは０になり、長さＬ＝１５０ｃｍのイヤホンケーブル２を３／４波長アンテナ素子として利用して、１８９ＭＨｚの地上ディジタル音声放送信号を良好な受信感度で受信できる。
【００２９】
以上のように構成された地上ディジタル音声放送受信機１００によれば、イヤホンケーブル２の長さＬに関わらず、イヤホンケーブル２をアンテナ素子として利用して地上ディジタル音声放送信号を良好な受信感度で受信できる。
【００３０】
なお、上記の実施形態において、容量値の変化範囲が５ｐＦから１５ｐＦであるバラクタダイオード６３を用いて可変インピーダンス整合回路１４のインピーダンスを変化させたが、本発明はこれに限らず、容量値の変化幅がバラクタダイオード６３に比較して小さい複数のバラクタダイオードを並列接続して、可変インピーダンス整合回路１４に比較してインピーダンスの変化範囲が広い可変インピーダンス整合回路を構成してもよい。
【００３１】
また、地上ディジタル音声放送受信機１００が所定の長さＬを有するイヤホンケーブル２と同梱されて商品化される場合、テーブルメモリ１１に当該所定の長さＬを予め格納し、コントローラ１０は、当該所定の長さＬのイヤホンケーブル２を用いたときのインピーダンスＺｐを、チューナ１５の入力インピーダンスＺｉｎに整合させることができる直流電圧を電圧印加端子Ｔ５に予め印加してもよい。
【００３２】
さらに、上記の実施形態においては、イヤホンケーブル２を３／４波長アンテナ素子として利用したが、本発明はこれに限らず、１／４波長アンテナ素子、２／４波長アンテナ素子又は４／４波長アンテナ素子として利用してもよい。この場合、受信する地上ディジタル音声放送信号の周波数と、予め想定されるイヤホンケーブル２の長さＬとに基づいてインピーダンス整合回路１３及び可変インピーダンス整合回路１４を設計し、テーブルメモリ１１に格納されるテーブルを作成すればよい。
【００３３】
またさらに、図１においてコントローラ１０及びテーブルメモリ１１を、不揮発性メモリとＤ／Ａコンバータとを搭載するマイコンによって構成してもよい。
【００３４】
また、上記の実施形態において、可変インピーダンス整合回路１４はコンデンサ６１を備えたが、本発明はこれに限らず、インピーダンス整合回路１３が入力端子Ｔ１と出力端子Ｔ２との間に直列接続されるコンデンサ５３を備える場合、コンデンサ６１を備えなくてもよい。さらに、インピーダンス整合回路１３を設けず、可変インピーダンス整合回路１４によってインピーダンスＺｐをチューナ１５の入力インピーダンスＺｉｎに整合させてもよい。
【００３５】
さらに、上記の実施形態において、ユーザはキーボード１２を介してイヤホンケーブル２の長さＬをコントローラ１０に入力したが、本発明はこれに限らず、イヤホンケーブル２の途中にリモコンを設け、当該リモコンを用いてイヤホンケーブル２の長さＬをコントローラ１０に入力してもよい。この場合、イヤホンケーブル２の長さＬは、イヤホン１からリモコンまでの長さである。
【００３６】
変形例．
図４は、本発明の実施形態の変形例に係る地上ディジタル音声放送受信機１００Ａの構成を示すブロック図である。実施形態の変形例は、実施形態に比較して、イヤホンジャック４Ａにイヤホンプラグ３Ａを介して接続されるイヤホンケーブル２Ａの長さＬを検出して、検出した長さＬを示す検出信号をコントローラ１０Ａに出力するケーブル長検出器１８と、受信した検出信号に基づいて、テーブルメモリ１１のテーブルを参照して、実施形態と同様に電圧印加端子Ｔ５に印加する電圧を決定するコントローラ１０Ａとを備えたことを特徴としている。以下、実施形態との相違点について詳述する。
【００３７】
図４において、イヤホンケーブル２Ａは、１対のステレオ音声信号線と、アース線と、所定の径を有しイヤホンケーブル２Ａのイヤホン１側の一端で２つに折り曲げられてなる１本の長さ検出用信号線とを含む。イヤホンプラグ３Ａをイヤホンジャック４Ａに挿入したとき、イヤホンプラグ３Ａの接点３ａ，３ｂ，３ｃ，３ｄ及び３ｅはそれぞれ、イヤホンジャック４Ａの接点４ａ，４ｂ，４ｃ，４ｄ及び４ｅに接触して電気的に接続される。また、イヤホンケーブル２Ａのステレオ信号線は、実施形態と同様にイヤホンアンプ１７及びチューナ１５に接続され、イヤホンケーブル２Ａのアース線は、実施形態と同様に、接地されるとともにチューナ１５に接続される。さらに、イヤホンケーブル２Ａの長さ検出用信号線の一端はイヤホンプラグ３Ａの接点３ｄ及びイヤホンジャック４Ａの接点４ｄを介してケーブル長検出器１８に接続される一方、長さ検出用信号線の他端は、イヤホンプラグ３Ａの接点３ｅ及びイヤホンジャック４Ａの接点４ｅを介してケーブル長検出器１８に接続される。
【００３８】
また、ケーブル長検出器１８は、長さ検出用信号線の抵抗を検出するブリッジ回路を含み、検出した長さ検出用信号線の抵抗及び長さ検出用信号線の径に基づいて、イヤホンケーブル２Ａの長さＬを検出し、検出した長さＬを示す検出信号を発生してコントローラ１０Ａに出力する。さらに、コントローラ１０Ａは、受信した検出信号に基づいて、テーブルメモリ１１のテーブルを参照して、実施形態と同様に、電圧印加端子Ｔ５に印加する電圧を決定し、電圧印加端子Ｔ５に印加する。
【００３９】
上記のように構成された実施形態の変形例に係る地上ディジタル音声放送信号受信機１００Ａによれば、イヤホンケーブル２Ａの長さＬを自動的に検出するので、ユーザはキーボード１２を用いて長さＬを入力する必要がなく、実施形態に比較してユーザにとって利便性が高い。
【００４０】
なお、上記の実施形態の変形例において、イヤホンケーブル２Ａ内に設けた長さ検出用信号線の抵抗に基づいてイヤホンケーブル２Ａの長さを検出したが、本発明はこれに限らず、イヤホンジャック４Ａ及びイヤホンプラグ３Ａに複数の接点を設け、イヤホンプラグ３Ａをイヤホンジャック４Ａに挿入すると、イヤホンケーブル２Ａの長さに応じて、イヤホンプラグ３Ａの異なる接点がイヤホンジャック４Ａの接点に接触するように構成し、イヤホンプラグ３Ａに接触しているイヤホンジャック４Ａの接点を検出することによりイヤホンケーブル２Ａの長さＬを検出してもよい。
【００４１】
上記の実施形態及び実施形態の変形例において、コントローラ１０及び１０Ａは、テーブルメモリ１１に格納されたテーブルを参照して電圧印加端子Ｔ５に印加する電圧を決定したが、本発明はこれに限らず、イヤホンケーブル２又は２Ａの長さＬ、チューナ１５の入力インピーダンスＺｉｎ、イヤホンケーブル２又は２Ａの特性インピーダンス、インピーダンス整合回路１３のインピーダンス及びバラクタダイオードの特性に基づいて、演算によって電圧印加端子Ｔ５に印加する電圧を算出してもよい。
【産業上の利用可能性】
【００４２】
以上詳述したように、本発明に係るイヤホンケーブルアンテナ装置によれば、無線信号を受信し、上記無線信号を復調信号に復調する復調手段を備えた無線端末装置に搭載されるイヤホンケーブルアンテナ装置であって、所定の長さを有し上記復調手段に接続されるイヤホンケーブルと、上記イヤホンケーブルと上記復調手段との間に接続された可変インピーダンス整合手段と、上記所定の長さに基づいて、上記イヤホンケーブルのインピーダンスを上記復調手段の入力インピーダンスに整合させるように、上記可変インピーダンス整合手段のインピーダンスを制御する制御手段とを備えたので、イヤホンケーブルの長さに関わらず従来技術に比較して良好な受信感度で受信できる。
【００４３】
また、本発明に係る無線端末装置によれば、上記のイヤホンケーブルアンテナ装置と、上記無線信号を復調信号に復調する復調手段とを備えたので、イヤホンケーブルの長さに関わらず従来技術に比較して良好な受信感度で受信できる。
【図面の簡単な説明】
【００４４】
【図１】本発明の実施形態に係る地上ディジタル音声放送受信機１００の構成を示すブロック図である。
【図２】出力端子Ｔ４における反射係数ΓをΓ＝ｐ＋ｑｊとしたときの図１の地上ディジタル音声放送受信機１００のインピーダンス整合を示すスミスチャートである。
【図３】図１のバラクタダイオード６３に印加される逆バイアス電圧に対するバラクタダイオード６３の容量値を示すグラフである。
【図４】本発明の実施形態の変形例に係る地上ディジタル音声放送受信機１００Ａの構成を示すブロック図である。
【符号の説明】
【００４５】
１…イヤホン、
２，２Ａ…イヤホンケーブル、
３，３Ａ…イヤホンプラグ、
３ａ，３ｂ，３ｃ，３ｄ，３ｅ…接点、
４，４Ａ…イヤホンジャック、
４ａ，４ｂ，４ｃ，４ｄ，４ｅ…接点、
１０，１０Ａ…コントローラ、
１１…テーブルメモリ、
１２…キーボード、
１３…インピーダンス整合回路、
１４…可変インピーダンス整合回路、
１５…チューナ、
１６…ディジタル復調器、
１７…イヤホンアンプ、
１８…ケーブル長検出器、
３１〜３３，６２，６４…高周波阻止用インダクタ、
４１〜４３…低周波阻止用コンデンサ、
５３…コンデンサ、
５１，５２…インダクタ、
６１，６５…カップリングコンデンサ、
６３…バラクタダイオード、
１００，１００Ａ…地上ディジタル音声放送受信機。
【図１】
2008092265.tif 000003
【図２】
2008092265.tif 000004
【図３】
2008092265.tif 000005
【図４】
2008092265.tif 000006